(57)【特許請求の範囲】
【請求項１】
ワイヤレス通信のための方法であって、
制御情報の送信により不要な帯域外放射を潜在的に生じるユーザ機器（ＵＥ）を識別すること、前記不要な放射は、前記不要な放射の周波数と重複する周波数チャネルへの干渉を生じる、と、
前記不要な帯域外放射を低減するように前記ＵＥをスケジュールすることと、
を備え、前記スケジュールすることは、
前記制御情報の送信のためのリソースを、前記不要な放射の周波数がシステム帯域幅内に入ることを保証するターゲット周波数レンジ内で、半永続的スケジューリング（ＳＰＳ）を用いて、前記ＵＥに割り当てることと、
前記制御情報を送信するために利用可能なリソースではなく前記ＳＰＳのために割り当てられたリソース上で前記制御情報を送信するように、前記ＵＥをスケジュールすることと、
を含む、方法。
【請求項２】
不要な帯域外放射を潜在的に生じる前記ＵＥを前記識別することは、前記ＵＥの送信電力レベル、または前記ＵＥからの制御情報のアップリンク送信の周波数、または前記アップリンク送信の帯域幅、またはそれらの組合せに基づいて、前記ＵＥを前記不要な帯域外放射を潜在的に生じるものとして識別することを備える、請求項１に記載の方法。
【請求項３】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項２に記載の方法。
【請求項４】
前記ＵＥは、前記ＵＥの送信電力レベルがターゲット電力レベルを超える場合、または前記ＵＥからの制御情報のアップリンク送信の周波数が前記ターゲット周波数レンジ外にある場合、または両方の場合、前記不要な帯域外放射を潜在的に生じるものとしてみなされる、請求項１に記載の方法。
【請求項５】
前記ＵＥは、システム帯域幅のエッジの近くの物理アップリンク制御チャネル（ＰＵＣＣＨ）上で制御情報のみを送信するときに、前記不要な帯域外放射を潜在的に生じ、
不要な帯域外放射を低減するように前記ＵＥを前記スケジュールすることは、もしあれば、データとともに前記制御情報を物理アップリンク共有チャネル（ＰＵＳＣＨ）上で送信するように前記ＵＥをスケジュールすることを備える、請求項１に記載の方法。
【請求項６】
前記ＳＰＳのために割り当てられたリソース上で制御情報を送信するように前記ＵＥを前記スケジュールすることは、前記ＳＰＳのために割り当てられたリソース上でチャネル品質インジケータ（ＣＱＩ）情報を周期的に送信するように前記ＵＥを構成することを備える、請求項１に記載の方法。
【請求項７】
前記ＳＰＳのために割り当てられたリソース上で制御情報を送信するように前記ＵＥを前記スケジュールすることは、前記ＵＥが、前記データ送信に対する肯定応答（ＡＣＫ）情報を、ダウンリンクデータ送信に関連するＡＣＫリソース上ではなく前記ＳＰＳのために割り当てられたリソース上で前記データ送信に対するＡＣＫ情報を送信することを可能にするために、前記ダウンリンク上でのデータ送信のために前記ＵＥをスケジュールすることを備える、請求項１に記載の方法。
【請求項８】
前記ダウンリンク上でのデータ送信のために前記ＵＥを前記スケジュールすることは、２つのＨＡＲＱ送信によって前記ダウンリンクデータ送信をターゲッティングすること、１つのデータパケットにつき多くて２つのＨＡＲＱ送信が送信される、を備え、
前記ＵＥは、前記ＳＰＳのために割り当てられたリソースで１つ目のＨＡＲＱ送信に対するＡＣＫ情報を送信し、前記ＵＥが２つ目のＨＡＲＱ送信に対するＡＣＫ情報が送信されるべきサブフレームにおけるアップリンク上でのデータ送信をスケジュールされる場合のみ、前記２つ目のＨＡＲＱ送信に対するＡＣＫ情報を送信する、請求項７に記載の方法。
【請求項９】
前記ＵＥは、前記ダウンリンク上でのデータ送信に対するＡＣＫ情報をバンドルし、前記バンドルされたＡＣＫ情報を次の送信機会において前記ＳＰＳのために割り当てられたリソース上で送信する、請求項７に記載の方法。
【請求項１０】
物理アップリンク制御チャネル（ＰＵＣＣＨ）領域がシステム帯域幅の２つのエッジにあるリソースを含み、物理アップリンク共有チャネル（ＰＵＳＣＨ）領域が前記システム帯域幅の中間にあるリソースを含み、前記割り当てられたリソースが前記ＰＵＳＣＨ領域内にある、請求項５に記載の方法。
【請求項１１】
前記割り当てられたリソースは、チャネル品質インジケータ（ＣＱＩ）情報を周期的に送信するため、または半永続的スケジューリング（ＳＰＳ）を用いてダウンリンク上で送信されたデータ送信に対する肯定応答（ＡＣＫ）情報を送信するためのものである、請求項５に記載の方法。
【請求項１２】
前記帯域外放射を低減するように前記ＵＥを前記スケジュールすることは、
前記不要な帯域外放射が緩和されるべき周波数帯域を識別すること、前記周波数帯域が前記システム帯域幅の第１の側における帯域エッジ位置する、と、
前記システム帯域幅における前記第１の側とは反対の第２の側の上での前記制御情報の送信のために前記ＵＥをスケジュールすることと、
前記ＵＥのための周波数ホッピングを無効化することと、
を備える、請求項１に記載の方法。
【請求項１３】
前記制御情報を送信するためのリソースを前記ＵＥに前記割り当てることは、
基地局に割り振られたリソースのセットを決定すること、前記リソースのセットは、再利用方式を用いて得られ、他の基地局と通信している他のＵＥからの干渉がより少ない、と、
前記リソースのセットから選択されたリソースを前記ＵＥに割り当てることと
を備える、請求項１に記載の方法。
【請求項１４】
ワイヤレス通信のための装置であって、
制御情報の送信により不要な帯域外放射を潜在的に生じるユーザ機器（ＵＥ）を識別するための手段、前記不要な放射は、前記不要な放射の周波数と重複する周波数チャネルへの干渉を生じる、と、
前記不要な帯域外放射を低減するように前記ＵＥをスケジュールするための手段と、
を備え、前記スケジュールするための手段は、
前記制御情報の送信のためのリソースを、前記不要な放射の周波数がシステム帯域幅内に入ることを保証するターゲット周波数レンジ内で、半永続的スケジューリング（ＳＰＳ）を用いて、前記ＵＥに割り当てるための手段と、
前記制御情報を送信するために利用可能なリソースではなく前記ＳＰＳのために割り当てられたリソース上で前記制御情報を送信するように、前記ＵＥをスケジュールするための手段と、
を含む、ワイヤレス通信のための装置。
【請求項１５】
不要な帯域外放射を潜在的に生じる前記ＵＥを識別するための前記手段は、前記ＵＥの送信電力レベル、または前記ＵＥからの前記制御情報のアップリンク送信の周波数、または前記アップリンク送信の帯域幅、またはそれらの組合せに基づいて、前記ＵＥを前記不要な帯域外放射を潜在的に生じるものとして識別するための手段を備える、請求項１４に記載の装置。
【請求項１６】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項１５に記載の方法。
【請求項１７】
前記ＵＥは、前記システム帯域幅のエッジの近くの物理アップリンク制御チャネル（ＰＵＣＣＨ）上で前記制御情報のみを送信するときに、前記不要な帯域外放射を潜在的に生じ、
前記不要な帯域外放射を低減するように前記ＵＥをスケジュールするための前記手段は、もしあれば、データとともに前記制御情報を物理アップリンク共有チャネル（ＰＵＳＣＨ）で送信するように前記ＵＥをスケジュールするための手段を備える、請求項１４に記載の装置。
【請求項１８】
ワイヤレス通信のための装置であって、
制御情報の送信により不要な帯域外放射を潜在的に生じるユーザ機器（ＵＥ）を識別すること、前記不要な放射は、前記不要な放射の周波数と重複する周波数チャネルへの干渉を生じる、と、
前記不要な帯域外放射を低減するように前記ＵＥをスケジュールすることと、
を行うように構成された少なくとも１つのプロセッサ
を備え、前記少なくとも１つのプロセッサはさらに、
前記制御情報の送信のためのリソースを、前記不要な放射の周波数がシステム帯域幅内に入ることを保証するターゲット周波数レンジ内で、半永続的スケジューリング（ＳＰＳ）を用いて、前記ＵＥに割り当てることと、
前記制御情報を送信するために利用可能なリソースではなく前記ＳＰＳによって割り当てられたリソース上で前記制御情報を送信するように、前記ＵＥをスケジュールすることと、
を行うように構成される、ワイヤレス通信のための装置。
【請求項１９】
前記少なくとも１つのプロセッサが、前記ＵＥの送信電力レベル、または前記ＵＥからの前記制御情報のアップリンク送信の周波数、または前記アップリンク送信の帯域幅、またはそれらの組合せに基づいて、前記ＵＥを前記不要な帯域外放射を潜在的に生じるものとして識別するように構成された、請求項１８に記載の装置。
【請求項２０】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項１９に記載の装置。
【請求項２１】
前記ＵＥは、前記システム帯域幅のエッジの近くの物理アップリンク制御チャネル（ＰＵＣＣＨ）上で前記制御情報のみを送信するときに、前記不要な帯域外放射を潜在的に生じ、
前記少なくとも１つのプロセッサは、もしあればデータとともに前記制御情報を物理アップリンク共有チャネル（ＰＵＳＣＨ）上で送信するように前記ＵＥをスケジュールするように構成された、請求項１８に記載の装置。
【請求項２２】
少なくとも１つのコンピュータによって実行可能なプログラムを記憶したコンピュータ可読記憶媒体であって、前記プログラムは、
制御情報の送信により不要な帯域外放射を潜在的に生じるユーザ機器（ＵＥ）を識別すること、前記不要な放射は、前記不要な放射の周波数と重複する周波数チャネルへの干渉を生じる、を、前記少なくとも１つのコンピュータに行わせるためのコードと、
前記不要な帯域外放射を低減するように前記ＵＥをスケジュールすることを、前記少なくとも１つのコンピュータに行わせるためのコードと
を備え、前記ＵＥをスケジュールすることを前記少なくとも１つのコンピュータに行わせるためのコードは、
前記制御情報の送信のためのリソースを、前記不要な放射の周波数がシステム帯域幅内に入ることを保証するターゲット周波数レンジ内で、半永続的スケジューリング（ＳＰＳ）を用いて、前記ＵＥに割り当てることを、前記少なくとも１つのコンピュータに行わせるためのコードと、
前記制御情報を送信するために利用可能なリソースではなく前記ＳＰＳによって割り当てられたリソースで前記制御情報を送信するように、前記ＵＥをスケジュールすることを、前記少なくとも１つのコンピュータに行わせるためのコードと、
を含む、コンピュータ可読記憶媒体。
【請求項２３】
ワイヤレス通信のための方法であって、
制御情報の送信により不要な帯域外放射を潜在的に生じるユーザ機器（ＵＥ）においてリソース割り当てを受信すること、前記不要な放射は、前記不要な放射の周波数と重複する周波数チャネルへの干渉を生じる、と、
前記リソース割り当てに従って前記ＵＥが前記制御情報を送信することと、
を備え、前記リソース割り当ては、前記不要な放射の周波数がシステム帯域幅内に入ることを保証するターゲット周波数レンジ内の、半永続的スケジューリング（ＳＰＳ）を用いて、前記制御情報の送信のためのリソースを含み、
前記ＵＥが制御情報を送信することは、前記制御情報を送信するために利用可能なリソースではなく前記ＳＰＳのために割り当てられたリソース上で前記制御情報を送信することを含む、方法。
【請求項２４】
前記ＵＥは、システム帯域幅のエッジの近くの物理アップリンク制御チャネル（ＰＵＣＣＨ）で前記制御情報のみを送信するときに前記不要な帯域外放射を潜在的に生じ、
前記リソース割り当ては、物理アップリンク共有チャネル（ＰＵＳＣＨ）のためのリソースを備え、
前記ＵＥが制御情報を前記送信することは、もしあれば、データとともに前記制御情報を前記ＰＵＳＣＨのための前記リソース上で送信することを備える、請求項２３に記載の方法。
【請求項２５】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項２４に記載の方法。
【請求項２６】
さらに、前記ＵＥによってチャネル品質インジケータ（ＣＱＩ）情報を周期的に送信するための指示を受信することを備え、制御情報を前記送信することが、前記ＳＰＳのために割り当てられたリソース上で前記ＣＱＩ情報を周期的に送信することを備える、請求項２３に記載の方法。
【請求項２７】
さらに、前記ＵＥにおいてダウンリンクでのデータ送信を受信することを備え、
制御情報を前記送信することが、前記データ送信に対する肯定応答（ＡＣＫ）情報を、前記データ送信に関連するＡＣＫリソースではなく前記ＳＰＳのために割り当てられたリソース上で送信することを備える、請求項２３に記載の方法。
【請求項２８】
前記データ送信を前記受信することが、第１の送信と第２の送信とを備えるデータパケットの最高２つの送信を受信することを備え、
ＡＣＫ情報を前記送信することは、
前記ＳＰＳのために割り当てられたリソース上で前記第１の送信に対するＡＣＫ情報を送信することと、
前記ＵＥが前記第２の送信に対するＡＣＫ情報が送信されるサブフレームにおけるアップリンクでのデータ送信をスケジュールされる場合のみ、前記第２の送信に対する前記ＡＣＫ情報を送信することと、
を備える、請求項２７に記載の方法。
【請求項２９】
ＡＣＫ情報を前記送信することは、
前記ダウンリンクでのデータ送信に対するＡＣＫ情報をバンドルすることと、
前記バンドルされたＡＣＫ情報を次の送信機会において前記ＳＰＳのために割り当てられたリソース上で送信すること、
を備える、請求項２７に記載の方法。
【請求項３０】
前記不要な帯域外放射が緩和されるべき周波数帯域が前記システム帯域幅における第１の側の帯域エッジに位置し、
前記リソース割り当てが、前記システム帯域幅における前記第１の側とは反対の第２の側の上のリソースを備え、制御情報を前記送信することが、周波数ホッピングなしに前記割り当てられたリソースで前記制御情報を送信することを備える、請求項２３に記載の方法。
【請求項３１】
ワイヤレス通信のための装置であって、
制御情報の送信により不要な帯域外放射を潜在的に生じるユーザ機器（ＵＥ）においてリソース割り当てを受信するための手段、前記不要な放射は、前記不要な放射の周波数と重複する周波数チャネルへの干渉を生じる、と、
前記リソース割り当てに従って前記ＵＥが前記制御情報を送信するための手段と、
を備え、前記リソース割り当ては、前記不要な放射の周波数がシステム帯域幅内に入ることを保証するターゲット周波数レンジ内の、半永続的スケジューリング（ＳＰＳ）を用いて、前記制御情報の送信のためのリソースを含み、
前記ＵＥが制御情報を送信するための手段は、前記制御情報を送信するために利用可能なリソースではなく前記ＳＰＳのために割り当てられたリソースで前記制御情報を送信することを含む、ワイヤレス通信のための装置。
【請求項３２】
前記ＵＥは、システム帯域幅のエッジの近くの物理アップリンク制御チャネル（ＰＵＣＣＨ）で前記制御情報のみを送信するときに前記不要な帯域外放射を潜在的に生じ、
前記リソース割り当ては、物理アップリンク共有チャネル（ＰＵＳＣＨ）のためのリソースを備え、
前記ＵＥが制御情報を送信するための前記手段は、もしあれば、データとともに前記制御情報を前記ＰＵＳＣＨのための前記リソース上で送信するための手段を備える、請求項３１に記載の装置。
【請求項３３】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項３２に記載の装置。
【請求項３４】
ワイヤレス通信のための装置であって、
少なくとも１つのプロセッサと、
前記少なくとも１つのプロセッサによって実行可能な命令を有するメモリと
を備え、
前記命令は、実行されると、前記少なくとも１つのプロセッサに、
制御情報の送信により不要な帯域外放射を潜在的に生じるユーザ機器（ＵＥ）においてリソース割り当てを受信すること、前記不要な放射は、前記不要な放射の周波数と重複する周波数チャネルへの干渉を生じる、と、
前記リソース割り当てに従って前記ＵＥによって前記制御情報を送信することと、
を行わせ、前記リソース割り当ては、前記不要な放射の周波数がシステム帯域幅内に入ることを保証するターゲット周波数レンジ内の、半永続的スケジューリング（ＳＰＳ）を用いて、前記制御情報の送信のためのリソースを含み、
前記命令はさらに、前記少なくとも１つのプロセッサに、前記制御情報を送信するために利用可能なリソースではなく前記ＳＰＳのために割り当てられたリソース上で前記制御情報を送信することを行わせる、ワイヤレス通信のための装置。
【請求項３５】
前記ＵＥは、システム帯域幅のエッジの近くの物理アップリンク制御チャネル（ＰＵＣＣＨ）上で前記制御情報のみを送信するときに前記不要な帯域外放射を潜在的に生じ、
前記リソース割り当ては、物理アップリンク共有チャネル（ＰＵＳＣＨ）のためのリソースを備え、
前記命令はさらに、前記少なくとも１つのプロセッサに、もしあれば、データとともに前記制御情報を前記ＰＵＳＣＨのための前記リソース上で送信することを行わせる、請求項３４に記載の装置。
【請求項３６】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項３５に記載の装置。
【請求項３７】
少なくとも１つのコンピュータによって実行可能なプログラムを記憶したコンピュータ可読記憶媒体であって、
前記プログラムは、
制御情報の送信により不要な帯域外放射を潜在的に生じるユーザ機器（ＵＥ）においてリソース割り当てを受信すること、前記不要な放射は、前記不要な放射の周波数と重複する周波数チャネルへの干渉を生じる、を、前記少なくとも１つのコンピュータに行わせるためのコードと、
前記リソース割り当てに従って前記ＵＥによって前記制御情報を送信することを、前記少なくとも１つのコンピュータに行わせるためのコードと、
を備え、
前記リソース割り当ては、前記不要な放射の周波数がシステム帯域幅内に入ることを保証するターゲット周波数レンジ内の、半永続的スケジューリング（ＳＰＳ）を用いる、前記制御情報の送信のためのリソースを含み、
前記プログラムはさらに、前記制御情報を送信するために利用可能なリソースではなく前記ＳＰＳのために割り当てられたリソースで前記制御情報を送信することを、前記少なくとも１つのコンピュータに行わせるためのコードを含む、コンピュータ可読記憶媒体。
【請求項３８】
前記ＵＥは、システム帯域幅のエッジの近くの物理アップリンク制御チャネル（ＰＵＣＣＨ）上で前記制御情報のみを送信するときに前記不要な帯域外放射を潜在的に生じ、
前記リソース割り当ては、物理アップリンク共有チャネル（ＰＵＳＣＨ）のためのリソースを備え、
前記プログラムはさらに、もしあれば、データとともに前記制御情報を前記ＰＵＳＣＨのための前記リソースで送信することを、前記少なくとも１つのコンピュータに行わせるためのコードを含む、請求項３７に記載のコンピュータ可読記憶媒体。
【請求項３９】
前記不要な放射は、少なくとも、前記ＵＥにおける前記送信機の局部発振器（ＬＯ）漏洩、同相／直角位相（Ｉ／Ｑ）不平衡、および非線形性のうちのいずれかに依存して、前記制御情報の送信により生じる、請求項３８に記載のコンピュータ可読記憶媒体。
【発明の詳細な説明】
【技術分野】
【０００１】
本出願は、本出願の譲受人に譲渡され、参照により本明細書に組み込まれる、２００８年９月２３日に出願された「A METHOD AND APPARATUS FOR UE EMISSION CONTROL IN A WIRELESS COMMUNICATION SYSTEM」と題する仮米国出願第６１／０９９，４７１号の優先権を主張する。
【０００２】
本開示は、一般に通信に関し、より詳細には、ワイヤレス通信システムにおいてユーザ機器（ＵＥ）の動作を制御するための技法に関する。
【背景技術】
【０００３】
ワイヤレス通信システムは、音声、ビデオ、パケットデータ、メッセージング、ブロードキャストなど、様々な通信コンテンツを与えるために広く展開されている。これらのワイヤレスシステムは、利用可能なシステムリソースを共有することによって複数のユーザをサポートすることができ得る多元接続システムとすることができ得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムがある。
【０００４】
ワイヤレス通信システムは、いくつかのＵＥの通信をサポートすることができるいくつかの基地局を含むことができ得る。ＵＥは、ダウンリンクおよびアップリンクを介して基地局と通信することができ得る。ダウンリンク（または順方向リンク）は基地局からＵＥへの通信リンクを指し、アップリンク（または逆方向リンク）はＵＥから基地局への通信リンクを指す。システムは、特定の中心周波数と特定のシステム帯域幅とによって画定され得る特定の周波数チャネル上で動作することができ得る。隣接周波数帯域上で動作している他のシステムへの干渉を低減するために、システムにおけるすべての送信をシステム帯域幅内にあるように抑制し、システム帯域幅外の不要な放射を低減することが望ましいことがある。
【発明の概要】
【０００５】
本明細書では、帯域外放射を緩和するためにＵＥの動作を制御するための技法について説明する。１つの設計では、基地局は、アップリンク上での制御情報の送信により過大な帯域外放射を潜在的に生じるＵＥを識別し得る。基地局は、ＵＥの送信電力レベル、ＵＥからのアップリンク送信の周波数、アップリンク送信の帯域幅などに基づいて、ＵＥを過大な帯域外放射を潜在的に生じるものとして識別し得る。基地局は、帯域外放射を低減するようにＵＥをスケジュールし得る。
【０００６】
１つの設計では、基地局は、物理アップリンク制御チャネル（ＰＵＣＣＨ）ではなく物理アップリンク共有チャネル（ＰＵＳＣＨ）上で制御情報を送信するようにＵＥをスケジュールし得る。ＵＥは、システム帯域幅のエッジの近くのＰＵＣＣＨ上で制御情報のみを送信するとき、過大な帯域外放射を生じることがある。基地局は、もしあればデータとともに制御情報をＰＵＣＣＨではなくＰＵＳＣＨ上で送信するようにＵＥをスケジュールすることができ得る。基地局は、半永続的スケジューリング（ＳＰＳ）を用いてデータを送信するためにＰＵＳＣＨ用のリソースをＵＥに割り当てることができ得る。ＳＰＳのための割り当てられるリソースは、帯域外放射を低減するように選択され得、たとえば、ターゲット周波数レンジ内に位置し得る。基地局は、ＰＵＣＣＨ用のリソース上ではなく、ＳＰＳのための割り当てられたリソース上で制御情報を送信するようにＵＥをスケジュールすることができ得る。
【０００７】
別の設計では、基地局は、制御情報を送信するためにＰＵＣＣＨ用のリソースをＵＥに割り当てることができ得る。割り当てられるリソースは、帯域外放射を緩和するように選択され得る。１つの設計では、割り当てられるリソースは、帯域外放射を低減するためにターゲット周波数レンジ内に位置し得る。別の設計では、割り当てられるリソースは、帯域外放射が緩和されるべき周波数帯域から離れて位置し得る。さらに別の設計では、割り当てられるリソースは、再利用方式を用いて得られ得、他の基地局と通信している他のＵＥからの干渉がより少なくなり得る。この設計は、ＵＥが、より低い電力で送信し、したがって帯域外放射を低減することを可能にすることができ得る。
【０００８】
本開示の様々な態様および特徴について以下でさらに詳細に説明する。
【図面の簡単な説明】
【０００９】
【図１】ワイヤレス通信システムを示す図。
【図２】ダウンリンクおよびアップリンク上での例示的な送信を示す図。
【図３】アップリンクの例示的な送信構造を示す図。
【図４】ＵＥからのアップリンク送信の例示的なスペクトルを示す図。
【図５】帯域外放射を緩和するようにＵＥをスケジュールするためのプロセスを示す図。
【図６】帯域外放射を緩和するようにＵＥをスケジュールするための装置を示す図。
【図７】ＵＥによる帯域外放射を緩和するためのプロセスを示す図。
【図８】ＵＥによる帯域外放射を緩和するための装置を示す図。
【図９】基地局およびＵＥのブロック図。
【発明を実施するための形態】
【００１０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用でき得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができ得る。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができ得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができ得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術に使用でき得る。明快のために、本技法のいくつかの態様について以下ではＬＴＥに関して説明し、以下の説明の大部分でＬＴＥ用語を使用する。
【００１１】
図１は、ワイヤレス通信システム１００を示し、これはＬＴＥシステムまたは何らかの他のシステムとすることができ得る。システム１００は、いくつかの進化型ノードＢ（ｅＮＢ）１１０および他のネットワークエンティティを含むことができ得る。ｅＮＢは、ＵＥと通信する固定局とすることができ得、基地局、ノードＢ、アクセスポイントなどとも呼ばれることがある。ｅＮＢは、特定の地理的エリアに対して通信カバレッジを提供することができ得る。３ＧＰＰでは、「セル」という用語は、この用語が使用される状況に応じて、ｅＮＢのカバレッジエリアおよび／またはこのカバレッジエリアにサービスするｅＮＢサブシステムを指すことがある。ｅＮＢは、１つまたは複数の（たとえば、３つの）セルをサポートし得る。
【００１２】
ＵＥ１２０はシステム全体に分散することができ得、各ＵＥは固定または移動とすることができ得る。ＵＥは、移動局、端末、アクセス端末、加入者ユニット、局などとも呼ばれることがある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などとすることができ得る。
【００１３】
システムはハイブリッド自動再送信（ＨＡＲＱ）をサポートすることができ得る。ダウンリンク上のＨＡＲＱでは、ｅＮＢは、データパケットの送信を送信するができ得、データパケットがＵＥによって正しく復号されるか、または最大数の再送信が送信されるか、または何らかの他の終了条件に遭遇するまで、１つまたは複数の再送信を送信することができ得る。データパケットの各送信または再送信はＨＡＲＱ送信と呼ばれることがある。ＨＡＲＱは、データ送信の信頼性を向上させることができ得る。
【００１４】
図２に、ｅＮＢによるダウンリンク（ＤＬ）送信と、ＵＥによるアップリンク（ＵＬ）送信とを示す。ＵＥは、ｅＮＢのダウンリンクチャネル品質を周期的に推定することができ得、ｅＮＢにチャネル品質インジケータ（ＣＱＩ）情報を送信することができ得る。ｅＮＢは、ダウンリンク上で多入力多出力（ＭＩＭＯ）送信をより良くサポートするためにランクインジケータ（ＲＩ）およびプリコーディング行列インジケータ（ＰＭＩ）情報をも送信するようにＵＥを構成することができ得る。簡単のために、本明細書の説明では、ＣＱＩ情報は、ＣＱＩ、ＰＭＩ、ＲＩなどの任意の組合せを指すことができる。ｅＮＢは、ＣＱＩ情報および／または他の情報を使用して、ダウンリンクデータ送信のためにＵＥを選択し、ＵＥへのデータ送信のために適切な変調および符号化方式（ＭＣＳ）および／またはＭＩＭＯランクおよびプリコーディング行列を選択することができ得る。ｅＮＢは、送信すべきデータがあり、システムリソースが利用可能であるとき、データを処理し、その処理されたデータをＵＥに送信することができ得る。ＵＥは、ｅＮＢからのダウンリンクデータ送信を処理することができ得、データが正しく復号された場合は肯定応答（ＡＣＫ）を送信し、あるいはデータが誤って復号された場合は否定応答（ＮＡＫ）を送信することができ得る。ｅＮＢは、ＮＡＫが受信された場合はデータを再送信することができ得、ＡＣＫが受信された場合は新規のデータを送信することができ得る。また、ＵＥは、送信すべきデータがあり、ＵＥにアップリンクリソースが割り当てられているとき、データをアップリンク上でｅＮＢに送信することができ得る。
【００１５】
図２に示すように、ＵＥは、任意の所与のサブフレームにおいて、データおよび／または制御情報を送信するか、またはいずれも送信しないことができ得る。制御情報は、ＣＱＩ情報、ＡＣＫ情報、および／または他の情報を備えることができ得る。本明細書の説明では、ＡＣＫ情報はＡＣＫまたはＮＡＫを備えることができ得る。ＵＥは、ＣＱＩ情報を規則的な報告間隔で周期的に送信するようにｅＮＢによって構成され得る。
【００１６】
ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、周波数レンジを、一般にトーン、ビンなどとも呼ばれる複数（Ｋ個）の直交サブキャリアに分割する。システム帯域幅はＫ個の全サブキャリアのサブセットに対応し得、残りのサブキャリアはガードバンドとして使用され得る。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定とすることができ得、サブキャリアの総数（Ｋ）はシステム帯域幅に依存することができ得る。たとえば、Ｋは、それぞれ１．２５、２．５、５、１０または２０ＭＨｚのシステム帯域幅に対して１２８、２５６、５１２、１０２４または２０４８に等しいとすることができ得る。
【００１７】
図３に、アップリンクのために使用され得る送信構造３００を示す。送信タイムラインは、サブフレームの単位に分割され得る。各サブフレームは、所定の継続時間、たとえば、１ミリ秒（ｍｓ）を有し得、２つのスロットに分割され得る。各スロットは、Ｌ個のシンボル期間、たとえば、拡張された巡回プレフィックスではＬ＝６個のシンボル期間または通常の巡回プレフィックスではＬ＝７個のシンボル期間を含み得る。
【００１８】
いくつかのリソースブロックを定義することができ得る。各リソースブロックは、１つのスロット中で１２個のサブキャリアをカバーすることができ得る。利用可能なリソースブロックは、ＰＵＣＣＨ領域とＰＵＳＣＨ領域とに分割され得る。ＰＵＣＣＨ領域は、図３に示すように、システム帯域幅の２つのエッジの近くにあるリソースブロックを含み得る。ＰＵＳＣＨ領域は、ＰＵＣＣＨ領域に含まれていないリソースブロックを含み得る。ＵＥには、ｅＮＢに制御情報のみを送信するためにＰＵＣＣＨ領域中のリソースブロックを割り当てることができ得る。ＵＥには、ｅＮＢにデータのみまたはデータと制御情報の両方を送信するためにＰＵＳＣＨ領域中のリソースブロックを割り当てることができ得る。リソースブロックはペアにされ得、アップリンク送信はサブフレーム中の両方のスロットにわたることができ得る。たとえば、図３に示すように、ＵＥは、サブフレームの第１のスロット中の一方の帯域エッジの近くにある１つのリソースブロック上で、およびサブフレームの第２のスロット中の反対の帯域エッジの近くにある別のリソースブロック上で、周波数ホッピングを用いてＰＵＣＣＨ送信を送信することができ得る。
【００１９】
図２に示すように、ＵＥは、所与のサブフレームにおいてｅＮＢにデータおよび／または制御情報を送信することができ得る。ＵＥからのアップリンク送信は、隣接帯域上で動作している他のシステムへの干渉を引き起こすことを回避するために、システム帯域幅内にあるように抑制されなければならない。しかしながら、いくつかのシナリオの下では、ＰＵＣＣＨ上でのＵＥからのアップリンク送信（すなわち、ＰＵＣＣＨ送信）は過大な帯域外放射を生じることがある。
【００２０】
図４に、ＵＥによるアップリンク送信の例示的なスペクトルを示す。図４に示す例では、システムは、１０ＭＨｚのシステム帯域幅を有し、周波数ｆｃを中心とする周波数チャネル上で動作する。ＵＥは、中心周波数から＋４．５ＭＨｚにおいてＰＵＣＣＨ送信を送信し、そのことは所望の放射４１２を生じる。ＰＵＣＣＨ送信は１つのリソースブロック中で送信され得、所望の放射は１８０ｋＨｚをカバーすることができ得る。ＵＥの送信機は局部発振器（ＬＯ）漏洩を有することがあり、漏洩ＬＯ信号４１４はアップリンク送信に存在することがある。漏洩ＬＯ信号は、ＰＵＣＣＨ送信と混合し、システム帯域幅外にある＋９．０ＭＨｚにおいて不要な放射４１６を発生し得る。送信機はまた、送信機におけるＩパスとＱパスとの間の利得誤差および／または位相誤差により同相／直角位相（Ｉ／Ｑ）不平衡を有することがある。Ｉ／Ｑ不平衡は、−４．５ＭＨｚにおいて不要な放射４１８を発生し得る。ＰＵＣＣＨ送信は、不要な放射４１８と混合し得、システム帯域幅外にある＋１３．５ＭＨｚにおいて不要な放射４２０を発生し得る。
【００２１】
図４は、ＵＥの送信機のＬＯ漏洩、Ｉ／Ｑ不平衡、および非線形性により発生し得るいくつかの不要な放射を示している。他の不要な放射も発生し得るが、簡単のために図４に図示していない。
【００２２】
図４に示すように、ＵＥは、帯域外、すなわち、システム帯域幅外に出ることがある様々な不要な放射を発生することがある。不要な放射の大きさは、ＰＵＣＣＨ送信の送信電力レベル、ならびにＬＯ漏洩、Ｉ／Ｑ不平衡、および非線形性などの送信機障害に依存し得る。不要な放射の周波数は、図４に示すようにＰＵＣＣＨ送信の周波数に依存し得る。特に、ＰＵＣＣＨ送信が漸進的に離れると、不要な放射は周波数が漸進的に離れ得る。
【００２３】
不要な放射は、（たとえば、＋２３ｄＢｍに接近する）高いＵＥ送信電力レベルにおいて過大になり得、これは、ＵＥがセル境界の近くにあるときにそうであり得る。帯域外に出る不要な放射は、隣接帯域上で動作している他のシステムのパフォーマンスに悪影響を及ぼすことがある。たとえば、システム帯域幅の低い側にある隣接帯域は、狭帯域周波数チャネル上で動作し得る公共安全システムに使用され得る。中心周波数から−４．５ＭＨｚにあるＰＵＣＣＨ送信（図４に図示せず）は、−９．０ＭＨｚおよび−１３．５ＭＨｚにおいて不要な放射を生じ得、それらの不要な放射は、これらの不要な放射の周波数と重なる狭帯域周波数チャネルに過大な干渉を生じることがある。
【００２４】
一態様では、過大な帯域外放射を潜在的に生じ得るＵＥは、「違反」ＵＥと識別されることがあり、「違反」ＵＥと呼ばれることがある。違反ＵＥは、実際に過大な帯域外放射を生じるか、または生じないことがある。違反ＵＥの動作は、帯域外放射を低減し、隣接帯域上で動作している他のシステムのパフォーマンス劣化を緩和するように制御され得る。
【００２５】
違反ＵＥは、ＵＥによって送信されるアップリンク送信の送信電力レベル、アップリンク送信の周波数、アップリンク送信の帯域幅などの様々なファクタに基づいて識別され得る。違反ＵＥはまた、どの隣接帯域が、たとえば、システムによって使用される周波数チャネルの下および／または上にあるどの帯域が不要な放射を緩和すべきかなど、他のファクタに基づいて識別され得る。
【００２６】
ＵＥが非違反であるか否かを判断するために、アップリンク送信の送信電力レベルを使用することができ得る。１つの設計では、ＵＥは、その送信電力レベルがターゲット／しきい値電力レベル未満である場合に非違反であるとみなされ得る。このターゲット電力レベルは、ＵＥ送信機の特定のＬＯ漏洩、Ｉ／Ｑ不平衡、および非線形性、特定のレベルの帯域外放射など、様々なファクタに基づいて判断され得る。また、複数のターゲット電力レベルをサポートすることができ得、１つまたは複数のパラメータに基づいて１つのターゲット電力レベルを選択することができ得る。
【００２７】
ＵＥが非違反であるか否かを判断するために、アップリンク送信の周波数を使用することができ得る。ＵＥは、そのアップリンク送信がターゲット周波数レンジ内にある場合に非違反であるとみなされ得る。第１の設計では、ＵＥは、そのアップリンク送信がシステム帯域幅の中央１／２内にある場合、非違反であるとみなされ得る。この設計は、ＬＯ漏洩によって生じる不要な放射がシステム帯域幅内に入ることを保証することができ得る。図４に示す例では、ＰＵＣＣＨ送信が＋２．５ＭＨｚにある場合、不要な放射４１６は、＋９．０ＭＨｚではなく＋５．０ＭＨｚになる。第２の設計では、ＵＥは、そのアップリンク送信がシステム帯域幅の中央１／３内にある場合、非違反であるとみなされ得る。この設計は、Ｉ／Ｑ不平衡およびＬＯ漏洩によって生じる不要な放射がシステム帯域幅内に入ることを保証することができ得る。図４に示す例では、ＰＵＣＣＨ送信が＋１．６ＭＨｚにある場合、不要な放射４２０は、＋１３．５ＭＨｚではなく＋４．８ＭＨｚになる。第２の設計は、ＬＯ漏洩とＩ／Ｑ不平衡の両方に対処することができるが、ＵＥの動作周波数により大きい制限を課すであろう。第１の設計は、Ｉ／Ｑ不平衡よりも問題になり得るＬＯ漏洩に対処することができ、ＵＥの動作周波数により少ない制限を課すであろう。ＵＥが非違反であるか否かは、何らかの他のターゲット周波数レンジに基づいて判断することもでき得る。たとえば、システムの周波数チャネルよりも低い隣接帯域中に入る不要な放射は潜在的に問題になるが、周波数チャネルよりも高い隣接帯域中に入る不要な放射は許容できる場合、ＵＥは、そのアップリンク送信がシステム帯域幅の下半分の１／２（または１／３）より上にある場合、非違反であるとみなされ得る。
【００２８】
ＵＥが非違反であるか否かを判断するために、アップリンク送信の帯域幅を使用することもでき得る。ＵＥは、より広い信号帯域幅に対してより低い電力で送信することが可能であることがあり、それにより放射レベルを低減することができ得る。１つの設計では、ＵＥは、その信号帯域幅がターゲット帯域幅よりも大きい場合に非違反であるとみなされ得る。このターゲット帯域幅は、ＵＥ送信機の特定のＬＯ漏洩、Ｉ／Ｑ不平衡、および非線形性、特定のレベルの帯域外放射など、様々なファクタに基づいて判断され得る。
【００２９】
ＵＥは、上述のファクタの任意の１つまたは任意の組合せに基づいて違反または非違反であるとみなされ得る。たとえば、ＵＥは、（ｉ）その送信電力レベルがターゲット電力レベルを上回る、（ｉｉ）そのアップリンク送信の周波数がターゲット周波数レンジ外にある、および（ｉｉｉ）そのアップリンク送信の帯域幅がターゲット帯域幅未満である場合に違反しているとみなされ得る。ＵＥはまた、条件（ｉ）、（ｉｉ）および（ｉｉｉ）の任意の１つまたは任意の組合せに基づいて違反しているとみなされ得る。ＵＥが違反しているか否かを判断するために、他のファクタを使用することもでき得る。
【００３０】
違反ＵＥの動作は、不要な帯域外放射を低減するために様々な方法で制御され得る。概して、不要な放射がバンド内に入るかおよび／または低いレベルを有するように、ＵＥからのアップリンク送信の周波数および／または送信電力を制御することができ得る。
【００３１】
ＵＥ動作を制御するための第１の設計では、違反ＵＥからの帯域外放射を緩和するためにデータと制御情報との協調スケジューリングを使用することができ得る。ＵＥは、図３に示すように、ＰＵＣＣＨ上では制御情報（たとえば、ＣＱＩおよび／またはＡＣＫ情報）のみを送信することができ得、ＰＵＳＣＨ上ではデータと制御情報の両方を送信することができ得る。ＵＥには、ＰＵＣＣＨについては帯域エッジに近接するリソースブロックを割り当てることができ得、ＰＵＳＣＨについてはシステム帯域幅内の任意の場所のリソースブロックを割り当てることができ得る。制御情報がデータと同じサブフレーム中で送信されるとき、ＵＥは制御情報をＰＵＳＣＨ上で送信することができ得る。ＵＥは、ＵＥがＰＵＣＣＨではなくＰＵＳＣＨ上で制御情報を送信することができるようにスケジュールされ得る。
【００３２】
ｅＮＢは、アップリンク上での半永続的スケジューリング（ＳＰＳ）サービスのためにＵＥを構成することができ得、ＰＵＳＣＨ上でのアップリンク送信のためにＵＥにリソースを割り当てることができ得る。ｅＮＢは、ＵＥに周期的な送信機会を与え得、アップリンク送信のためにＵＥによって使用され得る特定のサブフレームにおいて特定のリソースブロックを搬送することができ得る、ＳＰＳ割当てを送信することができ得る。ＳＰＳ送信機会の周期（またはＳＰＳ周期）は１０、２０、３２、４０、６４、８０、１２８、１６０、３２０または６４０ｍｓとすることができ得る。ＵＥが違反ＵＥである場合、ｅＮＢは、ＳＰＳサービスのためにターゲット周波数レンジ内のリソースブロックを割り当てることができ得る。ｅＮＢは、レイヤ３シグナリングを介してＳＰＳサービスを用いてＵＥを構成することができ得、必要に応じてＳＰＳサービスをアクティブまたは非アクティブにすることができ得る。
【００３３】
ｅＮＢは、ＵＥがＳＰＳ割当てに従ってＰＵＳＣＨ上でデータおよび制御情報を送信することができるようにＵＥをスケジュールすることができ得る。ｅＮＢは、２、５、１０、２０、３２、４０、６４、８０、１２８または１６０ｍｓ、あるいはこれらの値のいずれかの何らかの整数倍の周期でＣＱＩ情報を報告するようにＵＥを構成することができ得る。周期的ＣＱＩ報告が時間的にＳＰＳ送信機会と整合され得る場合、ＵＥは、ＰＵＣＣＨではなくＰＵＳＣＨ上でＣＱＩ情報を送信することができる。ＰＵＳＣＨ上でのＣＱＩ情報の送信は次のように行うことができ得る。
【００３４】
・１０、２０、３２、４０、６４、８０、１２８、１６０、３２０または６４０ｍｓ、あるいはこれらの値のいずれかの整数倍のＣＱＩ周期を選択し、
・ＳＰＳサービスを用いてＵＥを構成し、（ｉ）ＣＱＩ周期と同じであるＳＰＳ周期、または（ｉｉ）ＣＱＩ周期がＳＰＳ周期によって割り切れるようなＳＰＳ周期を選択し、
・ＳＰＳ送信機会およびＣＱＩ報告を同じサブフレームにおいて同時に行われるように構成し、そして
・不要な帯域外放射を緩和するために、ＳＰＳのためにターゲット周波数レンジ内のリソースブロックを割り当てる。
【００３５】
ＵＥは、図２に示すように、ｅＮＢからダウンリンク上で受信されたデータ送信に対してＡＣＫ情報を送信することができ得る。１つの設計では、ｅＮＢは、ＵＥがＰＵＣＣＨではなくＰＵＳＣＨ上でＡＣＫ情報を送信することができるようにＵＥへのダウンリンクデータ送信をスケジュールすることができ得る。特に、ｅＮＢは、対応するＡＣＫ情報が、アップリンク上でＵＥによって送信されるＳＰＳ送信またはデータ送信のいずれかと一致するようにダウンリンクデータ送信をスケジュールすることができ得る。スケジューリングは、ダウンリンク上のデータ送信とアップリンク上の対応するＡＣＫ送信との間のタイミング関係に基づくことができ得る。たとえば、ＵＥは、サブフレーム（ｔ  ｍｏｄ  Ｍ）においてＳＰＳ送信用に構成され得、Ｍはサブフレームを単位とするＳＰＳ周期であり、「ｍｏｄ」はモジュロ演算を示す。対応するデータ送信からＱ個のサブフレーム後にＡＣＫ情報が送信される場合、ｅＮＢは、サブフレーム（ｔ  ｍｏｄ  Ｍ）におけるＵＥによるＡＣＫ送信を保証するためにサブフレーム（（ｔ−Ｑ）  ｍｏｄ  Ｍ）においてデータ送信を送信することができ得る。
【００３６】
ｅＮＢは、ＵＥが少ない数のＨＡＲＱ送信を用いてデータを正しく復号することができるように、ダウンリンク上でデータを送信することができ得る。ｅＮＢは、データがＮ回のＨＡＲＱ送信後に十分高い確率で正しく復号され得るように変調および符号化方式を選択することができ得る。Ｎは、ターゲット終了と呼ばれ得、１以上とすることができ得る。ｅＮＢは、少ない数のＨＡＲＱ送信を用いたダウンリンクデータ送信をターゲッティングすることができ得る。１つの設計では、ｅＮＢは、各パケットについて高々２つのＨＡＲＱ送信を送信することができ得る。ｅＮＢは、２つのＨＡＲＱ送信後の残りのＰＥＲを無視することができ得るように、最初のＨＡＲＱ送信後に低いパケット誤り率（ＰＥＲ）（たとえば、１％ＰＥＲ）をターゲッティングすることができ得る。必要ならば、無線リソース制御（ＲＲＣ）または高速媒体アクセス制御（ＭＡＣ）再送信によって残りの誤差をさらに補正することができ得る。
【００３７】
ＵＥは、ＵＥがＰＵＳＣＨ上で送信するＳＰＳ送信またはアップリンクデータ送信のいずれかにおいてダウンリンクデータ送信に対するＡＣＫ情報を送信するように抑制され得る。ＵＥには、レイヤ３シグナリングまたは何らかの他の機構を介してこの抑制を通知することができ得る。ｅＮＢは、ＵＥのＳＰＳ送信機会の前にパケットの第１のＨＡＲＱ送信を送信することができ得、ＳＰＳ送信において対応するＡＣＫ情報を受信することができ得る。パケットに対してＮＡＫが受信された場合、ｅＮＢは、パケットの第２のＨＡＲＱ送信を送信することができ得、ＵＥからのこのＨＡＲＱ送信に対するＡＣＫ情報がないことを予想することができ得る。ＵＥは、ＡＣＫ情報が送信されるべきサブフレームにおいてアップリンク上でデータを送信するようにＵＥがスケジュールされる場合のみ、第２のＨＡＲＱ送信に対するＡＣＫ情報を送信することができ得る。
【００３８】
したがって、ｅＮＢは、ＵＥのＳＰＳ送信機会より前にダウンリンクデータ送信が行われるようにスケジュールすることができ得、さらに、少数（たとえば、２回）のＨＡＲＱ送信をターゲッティングすることができ得る。これによって、ＵＥがＰＵＳＣＨ上でＳＰＳ送信中でＡＣＫ情報を送信することができ得るようになる。ｅＮＢは、１０ｍｓ程度に低くなり得るＳＰＳ周期でダウンリンク上でデータを送信することができ得る。ｅＮＢはまた、ＡＣＫ情報がアップリンクデータ送信で送信され得るように、（たとえば、適切なサブフレームオフセットを用いて）ＵＥからのアップリンクデータ送信と同時に行われるようにダウンリンクデータ送信を送信することができ得る。ｅＮＢは、ＰＵＳＣＨの動的アップリンク割当てを用いてアップリンクデータ送信用にＵＥをスケジュールすることができ得る。
【００３９】
別の設計では、ＵＥは、ダウンリンクデータ送信に対するＡＣＫ情報をバンドルすることができ得、そのバンドルされたＡＣＫ情報を次のＳＰＳ送信機会において送信することができ得る。ＵＥは、サブフレームｔにおいてＨＡＲＱ送信を受信し得、サブフレームｔ＋ＱではＡＣＫ情報を送信するためのＳＰＳ送信機会を有しないことがある。その場合、ＵＥは、ＡＣＫ情報を次のＳＰＳ送信機会において送信することができ得る。
【００４０】
ＵＥ動作を制御するための第２の設計では、帯域外放射を緩和するために、制御情報を送るためにターゲット周波数レンジ内のリソースを違反ＵＥに割り当てることができ得る。ＣＱＩ情報（またはＣＱＩリソース）を周期的に送信するためのリソースは、帯域エッジで始まり内向きに移動し得るインデックスによって識別され得る。同様に、ＳＰＳを用いてダウンリンク上で送信されるデータに対するＡＣＫ情報（または半永続的ＡＣＫリソース）を送信するための半永続的リソースは、帯域エッジで始まり内向きに移動し得るインデックスインデックスによって識別され得る。ＵＥには、ＣＱＩリソースおよび／または半永続的ＡＣＫリソースを割り当てることができ得る。割り当てられたＣＱＩリソースおよび／または半永続的ＡＣＫリソースは、レイヤ３シグナリングにおけるパラメータによって搬送され得る。ＵＥは、ＰＵＣＣＨのための割り当てられたリソース上で制御情報を送信することができる。ただし、ＵＥからの制御情報のアップリンク送信が必ずしもＰＵＣＣＨ領域に限定されはしないがＰＵＳＣＨ領域中のどこかにあり得るように、十分大きいリソースインデックスをＵＥに割り当てることができ得る。
【００４１】
周期的ＣＱＩ報告では、割り当てられるＣＱＩリソースのインデックスは、ＵＥからのＣＱＩ送信がＣＱＩ領域に限定されないように選択され得る。ＰＵＣＣＨ領域は、ＣＱＩ領域と、ＳＰＳ  ＡＣＫ領域と、動的ＡＣＫ領域とを含むことができ得、これらの領域は、システム帯域幅の外側エッジから開始し、中心に向かう順序で定義され得る。ＵＥが適切なＡＣＫリソースインデックスを計算することができるように、ｅＮＢは、ＡＣＫ領域が開始される場所をＵＥに通知するためにパラメータ
【数１】
0005507568.tif 000002
【００４２】
をシグナリングすることができ得る。個々のＵＥに割り当てられるＣＱＩリソースは、
【数２】
0005507568.tif 000003
【００４３】
によって示される境界の外側にあるように抑制され得る。ただし、この抑制は、ＬＴＥ仕様書における明示的な要件ではない（すなわち、必須でない）。このことを利用して、違反ＵＥへの、帯域エッジからさらに離れており、ＣＱＩ領域外にあるＣＱＩリソースの割当てを可能にすることができ得る。ＵＥは、ＣＱＩリソースインデックスが有効な構成であることを仮定するかまたは通知され得、その指示されたインデックスを使用してＣＱＩ情報を送信することができ得る。
【００４４】
ＵＥは、ダウンリンクＳＰＳサービスのために構成され得、ＵＥに半永続的ＡＣＫリソースを割り当てることができ得る。割り当てられる半永続的ＡＣＫリソースのインデックスは、帯域外放射を緩和するために十分大きくし得る。ＳＰＳ送信オーバーヘッドを低減することが望ましいことがある。この場合、ＳＰＳ周期は、できるだけ大きく、たとえば、６４０ｍｓに構成することができ得る。
【００４５】
ＵＥは、動的ダウンリンク割当てを用いて所与のサブフレームにおいてダウンリンクデータ送信用にスケジュールされ得る。ＵＥは、ダウンリンク割当てを送信するために使用される制御チャネル要素（ＣＣＥ）にリンクされ得るＡＣＫリソース上でダウンリンクデータ送信に対するＡＣＫ情報を送信することができ得る。ＡＣＫリソースは、リソースブロックオフセットによってＣＣＥにリンクされ得る。リソースブロックオフセットは、ＡＣＫリソースがターゲット周波数レンジ内で移動されるように選択され得る。概して、リソースブロックオフセットは、ＵＥからの帯域外放射を緩和することができるように、ＰＵＣＣＨのための（たとえば、ＣＱＩおよび／またはＡＣＫ情報を送信するための）割り当てられたリソースがターゲット周波数レンジ内で移動されるように選択され得る。リソースブロックオフセットは、レイヤ３シグナリングまたは何らかの他の機構を介して搬送され得る。
【００４６】
ＵＥ動作を制御するための第３の設計では、不要な放射の緩和が所望されている隣接帯域とは反対の帯域エッジにあるリソースを違反ＵＥに割り当てることができ得る。過大な放射は、（非保護側と呼ばれ得る）周波数チャネルの一方の側では許容され得るが、（保護側と呼ばれ得る）周波数チャネルの反対側では許容され得ないことがある。ＵＥは、保護側とは反対の非保護側上でスケジュールされ得る。この第３の設計により、ＵＥがＰＵＣＣＨ上で制御情報を送信できるようになり得、ＰＵＳＣＨに対する新たな制限を作り出さないで済む。
【００４７】
ＵＥは、たとえば、図３に示すように、周波数ホッピングを用いてＰＵＣＣＨ送信を送信し得、次いでシステム帯域幅の両方のエッジの近くでアップリンク送信を送信することができ得る。１つの設計では、ＰＵＣＣＨ割当ては、ホップすべきか否かを示すことができ得るホップビットを含み得る。ホップビットを適切な値に設定することによってホッピングなしにＰＵＣＣＨリソースをＵＥに割り当てることができ得る。その場合、ＵＥは、非保護側の近くの帯域エッジにあるＰＵＣＣＨ上でアップリンク送信を送信することができ得る。
【００４８】
周波数ホッピングを可能にするために、システム帯域幅の２つのエッジにあるＰＵＣＣＨリソースをペアにすることができ得る。違反ＵＥは非違反ＵＥとペアにされ得る。違反ＵＥには、非保護側の近くのＰＵＣＣＨリソースを割り当てることができ得、非違反ＵＥには、保護側の近くのペアにされたＰＵＣＣＨリソースを割り当てることができ得る。違反ＵＥおよび非違反ＵＥは、周波数ホッピングなしにそれらのそれぞれの端部にとどまることができ得る。
【００４９】
ｅＮＢは、ホッピングＰＵＣＣＨと非ホッピングＰＵＣＣＨとの間の衝突を回避するようにＵＥをスケジュールすることができ得る。別のＵＥに、違反ＵＥの非ホッピングＰＵＣＣＨと衝突するホッピングＰＵＣＣＨが割り当てられた場合、その別のＵＥは、ホッピングＰＵＣＣＨが非ホッピングＰＵＣＣＨと衝突するスロットにおいて不連続送信（ＤＴＸ）を送信することができ得る。その別のＵＥは、ｅＮＢによって送信されるユニキャストまたはブロードキャストシグナリングに基づいて衝突を検出することができ得る。
【００５０】
ＵＥ動作を制御するための第４の設計では、帯域外放射を緩和するために、違反ＵＥはその送信電力を制限することができ得る。制限された送信電力レベルでＵＥの許容できるパフォーマンスを得るために、ｅＮＢは、他のセル中の他のＵＥからの干渉がより少ないリソースをＵＥに割り当てることができ得る。これにより、ｅＮＢが、制限された送信電力レベルでさえＵＥの良好な受信信号品質を得ることが可能になり得る。セル間干渉がより少ないリソースは様々な方法で得ることができ得る。
【００５１】
１つの設計では、セル間干渉がより少ないリソースを得るためにフラクショナル（fractional）周波数再利用（ＦＦＲ）を採用することができ得る。隣接ｅＮＢには、近くのｅＮＢに割り振られていないＰＵＣＣＨリソースの異なる部分を割り振ることができ得る。各ｅＮＢは、その割り振られたＰＵＣＣＨリソースをその違反ＵＥに割り当てることができ得、すると、それらの違反ＵＥは、他のｅＮＢと通信している他のＵＥからの干渉がより少ないことを観測し得る。違反ＵＥは、より低い電力で送信し、依然としてｅＮＢにおいて所望の受信信号品質を達成することができる。ＦＦＲは、（ｉ）ＣＱＩ、ＣＱＩとＡＣＫの混合、永続的ＡＣＫ、および動的ＡＣＫのためのいくつかのリソースブロックを構成することと、（ｉｉ）違反ＵＥがアップリンク上でより少ないセル間干渉を観測するように違反ＵＥおよび非違反ＵＥのためのリソースインデックスを構成することとによって実装され得る。
【００５２】
別の設計では、セル間干渉がより少ないリソースを得るために時分割多重（ＴＤＭ）を採用することができ得る。隣接ｅＮＢには、近くのｅＮＢに割り振られていないいくつかのサブフレームにおいていくつかのリソースブロックを割り振ることができ得る。各ｅＮＢは、その割り振られたリソースブロックをその違反ＵＥに割り当てることができ得、次いで、それらの違反ＵＥは、他のｅＮＢと通信している他のＵＥからの干渉がより少ないことを観測し得る。
【００５３】
さらに別の設計では、セル間干渉がより少ないリソースを得るために動的リソース割振りを実行することができ得る。違反ＵＥがアップリンク上で制御情報を送信することを望むときはいつでも、違反ＵＥによって使用されるべきいくつかのリソースをクリアするように隣接ｅＮＢに依頼するリソース要求を送信することができ得る。次いで、違反ＵＥは、クリアされたリソース上でその制御情報を送信することができ得、より少ないセル間干渉を観測し得る。セル間干渉がより少ないリソースは他の方法でも得られ得る。これらのリソースを違反ＵＥに割り当てることによって、これらのＵＥが高電力で送信する確率を低減することができ得、次いで、それによって帯域外放射を緩和し得る。
【００５４】
図５に、帯域外放射を緩和するようにＵＥをスケジュールするためのプロセス５００の設計を示す。プロセス５００は、（後述のように）基地局／ｅＮＢによって、または何らかの他のエンティティによって実行され得る。基地局は、制御情報の送信により過大な帯域外放射を潜在的に生じるＵＥを識別し得る（ブロック５１２）。基地局は、ＵＥの送信電力レベル、ＵＥからのアップリンク送信の周波数、アップリンク送信の帯域幅、何らかの他のファクタ、またはそれらの組合せに基づいて、ＵＥを過大な帯域外放射を潜在的に生じるものとして識別することができ得る。たとえば、ＵＥは、（ｉ）ＵＥの送信電力レベルがターゲット電力レベルを超える場合、および／または（ｉｉ）ＵＥからのアップリンク送信の周波数が、システム帯域幅の一部分であり得るターゲット周波数レンジ外にある場合、過大な帯域外放射を潜在的に生じるものとしてみなされ得る。ＵＥは、実際に過大な帯域外放射を生じるか、または生じないことがある。基地局は、帯域外放射を低減するようにＵＥをスケジュールし得る（ブロック５１４）。スケジューリングは様々な方法で実行され得る。
【００５５】
第１の設計では、基地局は、ＰＵＣＣＨではなくＰＵＳＣＨ上で制御情報を送信するようにＵＥをスケジュールすることができ得る。ＵＥは、システム帯域幅のエッジの近くのＰＵＣＣＨ上で制御情報のみを送信するとき、過大な帯域外放射を生じることがある。基地局は、もしあればデータとともに制御情報をＰＵＣＣＨではなくＰＵＳＣＨ上で送信するようにＵＥをスケジュールすることができ得る。
【００５６】
基地局は、ＳＰＳを用いてデータを送信するためにＰＵＳＣＨ用のリソースをＵＥに割り当てることができ得る。ＳＰＳのための割り当てられるリソースは、帯域外放射を低減するように選択され得、たとえば、ターゲット周波数レンジ内に位置し得る。次いで、基地局は、制御情報を送信するのに利用可能なリソース上ではなく、ＳＰＳのための割り当てられたリソース上で制御情報を送信するようにＵＥをスケジュールすることができ得る。たとえば、基地局は、ＳＰＳのための割り当てられたリソース上でＣＱＩ情報を周期的に送信するようにＵＥを構成することができ得る。別の例として、ＵＥが、データ送信に関連するＡＣＫリソース上ではなくＳＰＳのための割り当てられたリソース上でデータ送信に対するＡＣＫ情報を送信することができるようにするために、基地局は、ダウンリンク上でのデータ送信用にＵＥをスケジュールすることができ得る。基地局は、第１の送信と第２の送信とを備えるデータパケットの２つの送信の後に終了するようにデータ送信をターゲッティングすることができ得る。ＵＥは、ＳＰＳのための割り当てられたリソース上で第１の送信に対するＡＣＫ情報を送信することができ得る。ＵＥは、第２の送信に対するＡＣＫ情報が送信されるべきサブフレームにおいてアップリンク上でのデータ送信用にＵＥがスケジュールされる場合のみ、第２の送信に対するＡＣＫ情報を送信することができ得る。代替的に、ＵＥは、ダウンリンク上でデータ送信に対するＡＣＫ情報をバンドルすることができ得、そのバンドルされたＡＣＫ情報を次の送信機会においてＳＰＳのための割り当てられたリソース上で送信することができ得る。
【００５７】
第２の設計では、基地局は、帯域外放射を低減するために、ターゲット周波数レンジ内に位置するリソースをＵＥに割り当てることができ得る。たとえば、図３に示すように、ＰＵＣＣＨ領域はシステム帯域幅の２つのエッジにあるリソースを含み得、ＰＵＳＣＨ領域はシステム帯域幅の中間にあるリソースを含み得る。割り当てられるリソースは、ＰＵＣＣＨ領域ではなくＰＵＳＣＨ領域内にあり得る。割り当てられたリソースは、ＣＱＩ情報を周期的に送信するため、ＳＰＳを用いてダウンリンク上で周期的に送信されるデータ送信に対するＡＣＫ情報を送信するため、動的スケジューリングを用いてダウンリンク上で送信されるデータ送信に対するＡＣＫ情報を送信するためなど、ＵＥによって使用され得る。
【００５８】
第３の設計では、基地局は、ＵＥからの帯域外放射が緩和されるべき周波数帯域から離れて位置しているリソースをＵＥに割り当てることができ得る。周波数帯域は、システム帯域幅の第１の側の隣に位置し得る。基地局は、第１の側とは反対のシステム帯域幅の第２の側の上での送信用にＵＥをスケジュールすることができ得る。基地局は、ＵＥのための周波数ホッピングを無効化することができ得る。
【００５９】
第４の設計では、基地局は、他の基地局と通信している他のＵＥからの干渉がより少ないリソースをＵＥに割り当てることができ得る。基地局は、ＵＥに割り振られるリソースのセットを決定することができ得る。リソースのセットは、再利用方式（たとえば、ＦＦＲまたはＴＤＭ）を用いて得られ得、他の基地局と通信している他のＵＥからの干渉がより少なくなり得る。基地局は、リソースのセットから選択されたリソースをＵＥに割り当てることができ得る。基地局は、他の方法で帯域外放射を低減するようにＵＥをスケジュールすることもでき得る。
【００６０】
図６に、帯域外放射を緩和するようにＵＥをスケジュールするための装置６００の設計を示す。装置６００は、制御情報の送信により過大な帯域外放射を潜在的に生じるＵＥを識別するためのモジュール６１２と、帯域外放射を低減するようにＵＥをスケジュールするためのモジュール６１４とを含む。
【００６１】
図７に、帯域外放射を緩和するためのプロセス７００の設計を示す。プロセス７００は、（後述のように）ＵＥによって、または何らかの他のエンティティによって実行され得る。ＵＥは、制御情報の送信により過大な帯域外放射を潜在的に生じることがある。ＵＥは、帯域外放射を低減するように選択されたリソース割当てを受信し得る（ブロック７１２）。ＵＥは、リソース割当てに従って制御情報を送信し得る（ブロック７１４）。
【００６２】
第１の設計では、ＵＥは、ＰＵＣＣＨではなくＰＵＳＣＨ上で制御情報を送信することができ得る。ＵＥは、システム帯域幅のエッジの近くのＰＵＣＣＨ上で制御情報のみを送信するとき、過大な帯域外放射を生じることがある。リソース割当てはＰＵＳＣＨのためのリソースを備え得る。ＵＥは、もしあればデータとともに制御情報をＰＵＳＣＨのためのリソース上で送信することができ得る。
【００６３】
リソース割当ては、ＳＰＳを用いてデータを送信するためのリソースを備えることができ得、割り当てられるリソースは、帯域外放射を低減するように選択される。ＵＥは、制御情報を送信するのに利用可能なリソース上ではなく、ＳＰＳのための割り当てられたリソース上で制御情報を送信することができ得る。たとえば、ＵＥは、ＣＱＩ情報を周期的に送信するための指示／構成を受信することができ得、ＳＰＳのための割り当てられたリソース上でＣＱＩ情報を周期的に送信することができ得る。別の例として、ＵＥは、ダウンリンク上でデータ送信を受信することができ得、データ送信に関連するＡＣＫリソース上ではなくＳＰＳのための割り当てられたリソース上でデータ送信に対するＡＣＫ情報を送信することができ得る。ＵＥは、第１の送信と第２の送信とを備えるデータパケットの最高２つの送信を受信することができ得る。ＵＥは、ＳＰＳのための割り当てられたリソース上で第１の送信に対するＡＣＫ情報を送信することができ得る。ＵＥは、第２の送信に対するＡＣＫ情報が送信されるべきサブフレームにおいてアップリンク上でのデータ送信用にＵＥがスケジュールされる場合のみ、第２の送信に対するＡＣＫ情報を送信することができ得る。代替的に、ＵＥは、ダウンリンク上でデータ送信に対するＡＣＫ情報をバンドルすることができ得、そのバンドルされたＡＣＫ情報を次の送信機会においてＳＰＳのための割り当てられたリソース上で送信することができ得る。
【００６４】
第２の設計では、リソース割当ては、帯域外放射を低減するために、ターゲット周波数レンジ内に位置するリソースを備えることができ得る。ＵＥは、ＣＱＩ情報を周期的に送信すること、またはＳＰＳを用いてダウンリンク上で周期的に送信されるデータ送信に対するＡＣＫ情報を送信すること、または動的スケジューリングを用いてダウンリンク上で送信されるデータ送信に対するＡＣＫ情報を送信すること、および／または割り当てられたリソース上で他の制御情報を送信することができ得る。
【００６５】
第３の設計では、リソース割当ては、帯域外放射が緩和されるべき周波数帯域から離れて位置するリソースを備え得る。ＵＥは、周波数ホッピングなしに割り当てられたリソース上で制御情報を送信することができ得る。
【００６６】
第４の設計では、リソース割当ては、他の基地局と通信している他のＵＥからの干渉がより少ないリソースを備え得る。ＵＥは、割り当てられたリソース上で制御情報を送信し得る。ＵＥは、帯域外放射を緩和するために他の方法で制御情報を送信することもでき得る。
【００６７】
図８に、帯域外放射を緩和するための装置８００の設計を示す。装置８００は、制御情報の送信により過大な帯域外放射を潜在的に生じるＵＥにおいてリソース割当てを受信するためのモジュール８１２であって、リソース割当てが、帯域外放射を低減するように選択される、受信することのためのモジュール８１２と、ＵＥがリソース割当てに従って制御情報を送信するためのモジュール８１４とを含む。
【００６８】
図６および図８のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００６９】
図９に、図１のｅＮＢのうちの１つであり得る基地局／ｅＮＢ１１０、および図１のＵＥのうちの１つであり得るＵＥ１２０の設計のブロック図を示す。ＵＥ１２０はＴ個のアンテナ９３４ａ〜９３４ｔを備えることができ得、ｅＮＢ１１０はＲ個のアンテナ９５２ａ〜９５２ｒを備えることができ得、一般にＴ≧１およびＲ≧１である。
【００７０】
ＵＥ１２０において、送信プロセッサ９２０は、データソース９１２からデータを受信し、１つまたは複数の変調および符号化方式に基づいてそのデータを処理（たとえば、符号化、インターリーブ、および変調）し、データシンボルを与えることができ得る。送信プロセッサ９２０はまた、コントローラ／プロセッサ９４０からの制御情報（たとえば、ＣＱＩおよび／またはＡＣＫ情報）を処理し、制御シンボルを与えることができ得る。送信プロセッサ９２０はまた、他の基準信号またはパイロット用の基準シンボルを発生することができ得る。送信（ＴＸ）ＭＩＭＯプロセッサ９３０は、適用可能な場合、送信プロセッサ９２０からのデータシンボル、制御シンボル、および／または基準シンボルに対して空間処理（たとえば、プリコーディング）を実行することができ得、Ｔ個の出力シンボルストリームをＴ個の変調器（ＭＯＤ）９３２ａ〜９３２ｔに供給することができ得る。各変調器９３２は、（たとえば、ＳＣ−ＦＤＭＡのために）それぞれの出力シンボルストリームを処理して出力サンプルストリームを得ることができ得る。各変調器９３２は、アップリンク信号を取得するために出力サンプルストリームをさらに処理（たとえば、アナログへの変換、増幅、フィルタ処理、およびアップコンバート）することができ得る。変調器９３２ａ〜９３２ｔからのＴ個のアップリンク信号は、それぞれＴ個のアンテナ９３４ａ〜９３４ｔを介して送信され得る。
【００７１】
ｅＮＢ１１０において、アンテナ９５２ａ〜９５２ｒは、ＵＥ１２０からアップリンク信号を受信し、受信信号をそれぞれ復調器（ＤＥＭＯＤ）９５４ａ〜９５４ｒに供給することができ得る。各復調器９５４は、それぞれの受信信号を調整（たとえば、フィルタ処理、増幅、ダウンコンバート、およびデジタル化）して受信サンプルを得ることができ得る。各復調器９５４は、さらに（たとえば、ＳＣ−ＦＤＭＡの）受信サンプルを処理して受信シンボルを得ることができ得る。ＭＩＭＯ検出器９５６は、すべてのＲ個の復調器９５４ａ〜９５４ｒから受信シンボルを得、適用可能な場合は受信シンボルに対してＭＩＭＯ検出を実行し、検出されたシンボルを供給することができ得る。受信プロセッサ９５８は、検出されたシンボルを処理（たとえば、復調、デインターリーブ、および復号）し、復号されたデータをデータシンク９６０に供給し、復号された制御情報をコントローラ／プロセッサ９８０に供給することができ得る。
【００７２】
ダウンリンク上では、ｅＮＢ１１０において、データソース９６２からのデータ、およびコントローラ／プロセッサ９８０からの制御情報（たとえば、リソース割当て）は、送信プロセッサ９６４によって処理され、適用可能な場合はＴＸ  ＭＩＭＯプロセッサ９６６によってプリコーディングされ、変調器９５４ａ〜９５４ｒによって調整され、ＵＥに送信され得る。ＵＥ１２０において、ｅＮＢ１１０からのダウンリンク信号は、アンテナ９３４によって受信され、復調器９３２によって調整され、適用可能な場合はＭＩＭＯ検出器９３６によって処理され、受信プロセッサ９３８によってさらに処理されて、ＵＥ１２０に送信されたデータおよび制御情報を得ることができ得る。
【００７３】
コントローラ／プロセッサ９４０および９８０は、それぞれＵＥ１２０における動作およびｅＮＢ１１０における動作を指示することができ得る。ＵＥ１２０におけるプロセッサ９４０および／または他のプロセッサおよびモジュールは、図７のプロセス７００、および／または本明細書で説明する技法のための他のプロセスを実行または指示することができ得る。ＵＥ１１０におけるプロセッサ９８０および／または他のプロセッサおよびモジュールは、図５のプロセス５００、および／または本明細書で説明する技法のための他のプロセスを実行または指示することができ得る。メモリ９４２および９８２は、それぞれＵＥ１２０およびｅＮＢ１１０のためのデータおよびプログラムコードを記憶することができ得る。スケジューラ９８４は、ダウンリンクおよび／またはアップリンク送信用にＵＥをスケジュールし得、スケジュールされたＵＥのリソース割当てを与えることができ得る。
【００７４】
情報および信号は多種多様な技術および技法のいずれかを使用して表すことができ得ることを、当業者は理解されよう。たとえば、上記の説明全体にわたって言及されることがあるデータ、命令、コマンド、情報、信号、ビット、シンボル、およびチップは、電圧、電流、電磁波、磁界または磁性粒子、光場または光学粒子、あるいはそれらの任意の組合せによって表すことができ得る。
【００７５】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００７６】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサとすることができ得るが、代替として、プロセッサは、任意の従来のプロセッサ、コントローラ、マイクロコントローラ、または状態マシンとすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【００７７】
本明細書の開示に関して説明した方法またはアルゴリズムのステップは、直接ハードウェアで実施するか、プロセッサによって実行されるソフトウェアモジュールで実施するか、またはその２つの組合せで実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができ得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐することができ得る。ＡＳＩＣはユーザ端末中に常駐することができ得る。代替として、プロセッサおよび記憶媒体は、ユーザ端末内に個別構成要素として常駐することもでき得る。
【００７８】
１つまたは複数の例示的な設計では、説明した機能を、ハードウェア、ソフトウェア、ファームウェア、またはそれらの組合せで実装することができ得る。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体とすることができ得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００７９】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用することができ得る。したがって、本開示は、本明細書で説明する例および設計に限定されるものではなく、本明細書で開示する原理および新規の特徴に合致する最も広い範囲を与えられるべきである。
なお、以下に、出願当初の特許請求の範囲に記載された発明を付記する。
［Ｃ１］ワイヤレス通信のための方法であって、
制御情報の送信により過大な帯域外放射を潜在的に生じるユーザ機器（ＵＥ）を識別することと、
前記帯域外放射を低減するように前記ＵＥをスケジュールすることと
を備える方法。
［Ｃ２］過大な帯域外放射を潜在的に生じる前記ＵＥを前記識別することが、前記ＵＥの送信電力レベル、または前記ＵＥからの制御情報のアップリンク送信の周波数、または前記アップリンク送信の帯域幅、またはそれらの組合せに基づいて、前記ＵＥを過大な帯域外放射を潜在的に生じるものとして識別することを備える、Ｃ１に記載の方法。
［Ｃ３］前記ＵＥの送信電力レベルがターゲット電力レベルを超える場合、または前記ＵＥからの制御情報のアップリンク送信の周波数がターゲット周波数レンジ外にある場合、または両方の場合、前記ＵＥが過大な帯域外放射を潜在的に生じるものとしてみなされる、Ｃ１に記載の方法。
［Ｃ４］前記ＵＥが、システム帯域幅のエッジの近くで物理アップリンク制御チャネル（ＰＵＣＣＨ）上で制御情報のみを送信するときに過大な帯域外放射を潜在的に生じ、前記帯域外放射を低減するように前記ＵＥを前記スケジュールすることが、もしあればデータとともに制御情報を物理アップリンク共有チャネル（ＰＵＳＣＨ）上で送信するように前記ＵＥをスケジュールすることを備える、Ｃ１に記載の方法。
［Ｃ５］前記帯域外放射を低減するように前記ＵＥを前記スケジュールすることが、
半永続的スケジューリング（ＳＰＳ）を用いてデータを送信するためのリソースを前記ＵＥに割り当てることであって、ＳＰＳのための前記割り当てられるリソースが、前記帯域外放射を低減するように選択される、割り当てることと、
制御情報を送信するのに利用可能なリソース上ではなく、ＳＰＳのための前記割り当てられたリソース上で前記制御情報を送信するように前記ＵＥをスケジュールすることと
を備える、Ｃ１に記載の方法。
［Ｃ６］ＳＰＳのための前記割り当てられたリソース上で制御情報を送信するように前記ＵＥを前記スケジュールすることが、ＳＰＳのための前記割り当てられたリソース上でチャネル品質インジケータ（ＣＱＩ）情報を周期的に送信するように前記ＵＥを構成することを備える、Ｃ５に記載の方法。
［Ｃ７］ＳＰＳのための前記割り当てられたリソース上で制御情報を送信するように前記ＵＥを前記スケジュールすることが、前記ＵＥが、データ送信に関連するＡＣＫリソース上ではなくＳＰＳのための前記割り当てられたリソース上で前記データ送信に対する肯定応答（ＡＣＫ）情報を送信することを可能にするために、ダウンリンク上でのデータ送信用に前記ＵＥをスケジュールすることを備える、Ｃ５に記載の方法。
［Ｃ８］前記ダウンリンク上でのデータ送信用に前記ＵＥを前記スケジュールすることが、第１の送信と第２の送信とを備えるデータパケットの２つの送信の後に終了するように前記データ送信をターゲッティングすることを備え、前記ＵＥが、前記第２の送信に対する前記ＡＣＫ情報が送信されるべきサブフレームにおいてアップリンク上でのデータ送信用にスケジュールされる場合のみ、前記ＵＥが、ＳＰＳのための前記割り当てられたリソース上で前記第１の送信に対するＡＣＫ情報を送信し、前記第２の送信に対するＡＣＫ情報を送信する、Ｃ７に記載の方法。
［Ｃ９］前記ＵＥが、前記ダウンリンク上で前記データ送信に対するＡＣＫ情報をバンドルし、前記バンドルされたＡＣＫ情報を次の送信機会においてＳＰＳのための前記割り当てられたリソース上で送信する、Ｃ７に記載の方法。
［Ｃ１０］前記帯域外放射を低減するように前記ＵＥを前記スケジュールすることが、制御情報を送信するためのリソースを前記ＵＥに割り当てることであって、前記割り当てられるリソースが、前記帯域外放射を低減するためにターゲット周波数レンジ内に位置する、割り当てることを備える、Ｃ１に記載の方法。
［Ｃ１１］物理アップリンク制御チャネル（ＰＵＣＣＨ）領域がシステム帯域幅の２つのエッジにあるリソースを含み、物理アップリンク共有チャネル（ＰＵＳＣＨ）領域が前記システム帯域幅の中間にあるリソースを含み、前記割り当てられるリソースが前記ＰＵＳＣＨ領域内にある、Ｃ１０に記載の方法。
［Ｃ１２］前記割り当てられるリソースが、チャネル品質インジケータ（ＣＱＩ）情報を周期的に送信するため、または半永続的スケジューリング（ＳＰＳ）を用いてダウンリンク上で送信されるデータ送信に対する肯定応答（ＡＣＫ）情報を送信するためのものである、Ｃ１０に記載の方法。
［Ｃ１３］前記帯域外放射を低減するように前記ＵＥを前記スケジュールすることが、
前記帯域外放射が緩和されるべき周波数帯域を識別することであって、前記周波数帯域がシステム帯域幅の第１の側の隣に位置する、識別することと、
前記第１の側とは反対の前記システム帯域幅の第２の側の上での送信用に前記ＵＥをスケジュールすることと、
前記ＵＥのための周波数ホッピングを無効化することと
を備える、Ｃ１に記載の方法。
［Ｃ１４］前記帯域外放射を低減するように前記ＵＥを前記スケジュールすることが、制御情報を送信するためのリソースを前記ＵＥに割り当てることであって、前記割り当てられるリソースは、他の基地局と通信している他のＵＥからの干渉がより少ない、割り当てることを備える、Ｃ１に記載の方法。
［Ｃ１５］制御情報を送信するためのリソースを前記ＵＥに前記割り当てることが、
基地局に割り振られるリソースのセットを決定することであって、前記リソースのセットは、再利用方式を用いて得られ、前記他の基地局と通信している前記他のＵＥからの干渉がより少ない、決定することと、
前記リソースのセットから選択されたリソースを前記ＵＥに割り当てることと
を備える、Ｃ１４に記載の方法。
［Ｃ１６］制御情報の送信により過大な帯域外放射を潜在的に生じるユーザ機器（ＵＥ）を識別するための手段と、
前記帯域外放射を低減するように前記ＵＥをスケジュールするための手段と
を備える、ワイヤレス通信のための装置。
［Ｃ１７］過大な帯域外放射を潜在的に生じる前記ＵＥを識別するための前記手段が、前記ＵＥの送信電力レベル、または前記ＵＥからの制御情報のアップリンク送信の周波数、または前記アップリンク送信の帯域幅、またはそれらの組合せに基づいて、前記ＵＥを過大な帯域外放射を潜在的に生じるものとして識別するための手段を備える、Ｃ１６に記載の装置。
［Ｃ１８］前記ＵＥが、システム帯域幅のエッジの近くで物理アップリンク制御チャネル（ＰＵＣＣＨ）上で制御情報のみを送信するときに過大な帯域外放射を潜在的に生じ、前記帯域外放射を低減するように前記ＵＥをスケジュールするための前記手段が、もしあればデータとともに制御情報を物理アップリンク共有チャネル（ＰＵＳＣＨ）上で送信するように前記ＵＥをスケジュールするための手段を備える、Ｃ１６に記載の装置。
［Ｃ１９］前記帯域外放射を低減するように前記ＵＥをスケジュールするための前記手段が、
半永続的スケジューリング（ＳＰＳ）を用いてデータを送信するためのリソースを前記ＵＥに割り当てるための手段であって、ＳＰＳのための前記割り当てられるリソースが、前記帯域外放射を低減するように選択される、割り当てるための手段と、
制御情報を送信するのに利用可能なリソース上ではなく、ＳＰＳのための前記割り当てられたリソース上で前記制御情報を送信するように前記ＵＥをスケジュールするための手段と
を備える、Ｃ１６に記載の装置。
［Ｃ２０］前記帯域外放射を低減するように前記ＵＥをスケジュールするための前記手段が、制御情報を送信するためのリソースを前記ＵＥに割り当てるための手段であって、前記割り当てられるリソースは、ターゲット周波数レンジ内に位置するか、または前記帯域外放射が緩和されるべき周波数帯域から離れて位置するか、または他の基地局と通信している他のＵＥからの干渉がより少ない、割り当てるための手段を備える、Ｃ１６に記載の装置。
［Ｃ２１］制御情報の送信により過大な帯域外放射を潜在的に生じるユーザ機器（ＵＥ）を識別することと、前記帯域外放射を低減するように前記ＵＥをスケジュールすることとを行うように構成された少なくとも１つのプロセッサ
を備える、ワイヤレス通信のための装置。
［Ｃ２２］前記少なくとも１つのプロセッサが、前記ＵＥの送信電力レベル、または前記ＵＥからの制御情報のアップリンク送信の周波数、または前記アップリンク送信の帯域幅、またはそれらの組合せに基づいて、前記ＵＥを過大な帯域外放射を潜在的に生じるものとして識別するように構成された、Ｃ２１に記載の装置。
［Ｃ２３］前記ＵＥが、システム帯域幅のエッジの近くで物理アップリンク制御チャネル（ＰＵＣＣＨ）上で制御情報のみを送信するときに過大な帯域外放射を潜在的に生じ、前記少なくとも１つのプロセッサが、もしあればデータとともに制御情報を物理アップリンク共有チャネル（ＰＵＳＣＨ）上で送信するように前記ＵＥをスケジュールするように構成された、Ｃ２１に記載の装置。
［Ｃ２４］前記少なくとも１つのプロセッサが、半永続的スケジューリング（ＳＰＳ）を用いてデータを送信するためのリソースを前記ＵＥに割り当てることであって、ＳＰＳのための前記割り当てられるリソースが、前記帯域外放射を低減するように選択される、割り当てることと、制御情報を送信するのに利用可能なリソース上ではなく、ＳＰＳのための前記割り当てられたリソース上で前記制御情報を送信するように前記ＵＥをスケジュールすることとを行うように構成された、Ｃ２１に記載の装置。
［Ｃ２５］前記少なくとも１つのプロセッサが、制御情報を送信するためのリソースを前記ＵＥに割り当てることであって、前記割り当てられるリソースは、ターゲット周波数レンジ内に位置するか、または前記帯域外放射が緩和されるべき周波数帯域から離れて位置するか、または他の基地局と通信している他のＵＥからの干渉がより少ない、割り当てることを行うように構成された、Ｃ２１に記載の装置。
［Ｃ２６］制御情報の送信により過大な帯域外放射を潜在的に生じるユーザ機器（ＵＥ）を識別することを少なくとも１つのコンピュータに行わせるためのコードと、
前記帯域外放射を低減するように前記ＵＥをスケジュールすることを前記少なくとも１つのコンピュータに行わせるためのコードと
を備えるコンピュータ可読媒体
を備える、コンピュータプログラム製品。
［Ｃ２７］ワイヤレス通信のための方法であって、
制御情報の送信により過大な帯域外放射を潜在的に生じるユーザ機器（ＵＥ）においてリソース割当てを受信することであって、前記リソース割当てが、前記帯域外放射を低減するように選択される、受信することと、
前記リソース割当てに従って前記ＵＥが制御情報を送信することと
を備える方法。
［Ｃ２８］前記ＵＥが、システム帯域幅のエッジの近くで物理アップリンク制御チャネル（ＰＵＣＣＨ）上で制御情報のみを送信するときに過大な帯域外放射を潜在的に生じ、前記リソース割当てが、物理アップリンク共有チャネル（ＰＵＳＣＨ）用のリソースを備え、前記ＵＥが制御情報を前記送信することが、もしあればデータとともに制御情報を前記ＰＵＳＣＨ用の前記リソース上で送信することを備える、Ｃ２７に記載の方法。
［Ｃ２９］前記リソース割当てが、半永続的スケジューリング（ＳＰＳ）を用いてデータを送信するためのリソースを備え、前記ＵＥが制御情報を前記送信することが、制御情報を送信するのに利用可能なリソース上ではなくＳＰＳのための前記割り当てられたリソース上で前記制御情報を送信することを備える、Ｃ２７に記載の方法。
［Ｃ３０］さらに、前記ＵＥによってチャネル品質インジケータ（ＣＱＩ）情報を周期的に送信するための指示を受信することを備え、制御情報を前記送信することが、ＳＰＳのための前記割り当てられたリソース上で前記ＣＱＩ情報を周期的に送信することを備える
、Ｃ２９に記載の方法。
［Ｃ３１］さらに、前記ＵＥにおいてダウンリンク上でのデータ送信を受信することであって、制御情報を前記送信することが、前記データ送信に関連するＡＣＫリソース上ではなくＳＰＳのための前記割り当てられたリソース上で前記データ送信に対する肯定応答（ＡＣＫ）情報を送信することを備える
、Ｃ２９に記載の方法。
［Ｃ３２］前記データ送信を前記受信することが、第１の送信と第２の送信とを備えるデータパケットの最高２つの送信を受信することを備え、ＡＣＫ情報を前記送信することが、
ＳＰＳのための前記割り当てられたリソース上で前記第１の送信に対するＡＣＫ情報を送信することと、
前記ＵＥが、前記第２の送信に対する前記ＡＣＫ情報が送信されるべきサブフレームにおいてアップリンク上でのデータ送信用にスケジュールされる場合のみ、前記第２の送信に対するＡＣＫ情報を送信することと
を備える、Ｃ３１に記載の方法。
［Ｃ３３］ＡＣＫ情報を前記送信することが、
前記ダウンリンク上で前記データ送信に対するＡＣＫ情報をバンドルすることと、
前記バンドルされたＡＣＫ情報を次の送信機会においてＳＰＳのための前記割り当てられたリソース上で送信することと
を備える、Ｃ３１に記載の方法。
［Ｃ３４］前記リソース割当てが、制御情報を送信するためのリソースを備え、前記割り当てられるリソースが、前記帯域外放射を低減するためにターゲット周波数レンジ内に位置する、Ｃ２７に記載の方法。
［Ｃ３５］前記割り当てられるリソースが、チャネル品質インジケータ（ＣＱＩ）情報を周期的に送信するため、または半永続的スケジューリング（ＳＰＳ）を用いてダウンリンク上で送信されるデータ送信に対する肯定応答（ＡＣＫ）情報を送信するためのものである、Ｃ３４に記載の方法。
［Ｃ３６］前記帯域外放射が緩和されるべき周波数帯域がシステム帯域幅の第１の側の隣に位置し、前記リソース割当てが、前記第１の側とは反対の前記システム帯域幅の第２の側の上のリソースを備え、制御情報を前記送信することが、周波数ホッピングなしに前記割り当てられたリソース上で制御情報を送信することを備える、Ｃ２７に記載の方法。
［Ｃ３７］前記リソース割当ては、他の基地局と通信している他のＵＥからの干渉がより少ないリソースを備え、制御情報を前記送信することが、前記割り当てられたリソース上で制御情報を送信することを備える、Ｃ２７に記載の方法。
［Ｃ３８］制御情報の送信により過大な帯域外放射を潜在的に生じるユーザ機器（ＵＥ）においてリソース割当てを受信するための手段であって、前記リソース割当てが、前記帯域外放射を低減するように選択される、受信するための手段と、
前記リソース割当てに従って前記ＵＥが制御情報を送信するための手段と
を備える、ワイヤレス通信のための装置。
［Ｃ３９］前記ＵＥが、システム帯域幅のエッジの近くで物理アップリンク制御チャネル（ＰＵＣＣＨ）上で制御情報のみを送信するときに過大な帯域外放射を潜在的に生じ、前記リソース割当てが、物理アップリンク共有チャネル（ＰＵＳＣＨ）用のリソースを備え、前記ＵＥが制御情報を送信するための前記手段が、もしあればデータとともに制御情報を前記ＰＵＳＣＨ用の前記リソース上で送信するための手段を備える、Ｃ３８に記載の装置。
［Ｃ４０］前記リソース割当てが、半永続的スケジューリング（ＳＰＳ）を用いてデータを送信するためのリソースを備え、前記ＵＥが制御情報を送信するための前記手段が、制御情報を送信するのに利用可能なリソース上ではなくＳＰＳのための前記割り当てられたリソース上で前記制御情報を送信するための手段を備える、Ｃ３８に記載の装置。
［Ｃ４１］前記リソース割当てが、制御情報を送信するためのリソースを備え、前記割り当てられるリソースは、ターゲット周波数レンジ内に位置するか、または前記帯域外放射が緩和されるべき周波数帯域から離れて位置するか、または他の基地局と通信している他のＵＥからの干渉がより少なく、制御情報を送信するための前記手段が、前記割り当てられたリソース上で制御情報を送信するための手段を備える、Ｃ３８に記載の装置。
【図１】
0005507568.tif 000004
【図２】
0005507568.tif 000005
【図３】
0005507568.tif 000006
【図４】
0005507568.tif 000007
【図５】
0005507568.tif 000008
【図６】
0005507568.tif 000009
【図７】
0005507568.tif 000010
【図８】
0005507568.tif 000011
【図９】
0005507568.tif 000012